【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
処理対象物がセパレートシートや物を載せるパレット等の平面体であって、
上記処理対象物を搬送する搬送手段と、
上記搬送手段によって搬送される上記処理対象物に電磁波を照射して殺菌する電磁波発生源と、
上記電磁波発生源から発せられる電磁波の強度を検出する電磁波検出センサと、を備え、
上記電磁波検出センサは、上記電磁波発生源を挟んで上記搬送手段により搬送される上記処理対象物と反対側であって、上記電磁波発生源までの距離を、上記搬送手段により搬送される上記処理対象物から上記電磁波発生源までの距離と略等しい距離の位置に設置した
ことを特徴とする電磁波照射殺菌装置。
【請求項２】
請求項１に記載の電磁波照射殺菌装置において、
上記電磁波検出センサとは別に、上記電磁波発生源から発せられる電磁波の強度を検出する上記電磁波検出センサより耐久性に優れた電磁波検出サブセンサを設けた
ことを特徴とする電磁波照射殺菌装置。
【請求項３】
請求項１に記載の電磁波照射殺菌装置において、
上記電磁波検出センサは、上記電磁波発生源からの電磁波を遮蔽する遮蔽部材を備えた
ことを特徴とする電磁波照射殺菌装置。
【請求項４】
請求項２に記載の電磁波照射殺菌装置において、
上記電磁波検出サブセンサは、上記電磁波発生源からの電磁波を遮蔽する遮蔽部材を備えた
ことを特徴とする電磁波照射殺菌装置。
【請求項５】
請求項１に記載の電磁波照射殺菌装置において、
上記電磁波発生源は、上記処理対象物の搬送経路の両側に対称的に配置して設け、
上記電磁波検出センサは、上記搬送経路の両側にそれぞれ配置して設けた
ことを特徴とする電磁波照射殺菌装置。
【請求項６】
請求項５に記載の電磁波照射殺菌装置において、
上記搬送経路の両側に配置された上記電磁波発生源は、管状に形成された紫外線ランプによりなり、これが処理対象物の搬送方向と平行または直交もしくは傾斜状に交差して複数本並設されている
ことを特徴とする電磁波照射殺菌装置。
【請求項７】
請求項５に記載の電磁波照射殺菌装置において、
上記処理対象物の搬送経路の両側に、上記処理対象物の姿勢を保持するための一対のガイド棒を有し、
上記一対のガイド棒は、上記処理対象物の搬送方向に対して傾斜するように設置されている
ことを特徴とする電磁波照射殺菌装置。
【請求項８】
請求項７に記載の電磁波照射殺菌装置において、
上記一対のガイド棒は、その入口側または入口側と出口側の端部の間隔が広がった形状に形成されている
ことを特徴とする電磁波照射殺菌装置。
【請求項９】
請求項２に記載の電磁波照射殺菌装置において、
上記電磁波検出センサ及び上記電磁波検出サブセンサからの出力に基づいて計算された電磁波の照射強度や照射量を表示する表示部を設け、
上記表示部に、通常時は上記電磁波検出サブセンサからの出力に基づく電磁波の照射強度や照射量が表示され、必要時に上記電磁波検出センサからの出力に基づく電磁波の照射強度や照射量が表示されるようにした
ことを特徴とする電磁波照射殺菌装置。
【請求項１０】
請求項９に記載の電磁波照射殺菌装置において、
上記表示部に、上記電磁波発生源から発せられる電磁波に故障があるときに、その故障に関する事項が表示されるようにした
ことを特徴とする電磁波照射殺菌装置。
【手続補正２】
【補正対象書類名】明細書
【補正対象項目名】発明の名称
【補正方法】変更
【補正の内容】
【発明の名称】電磁波照射殺菌装置
【手続補正３】
【補正対象書類名】明細書
【補正対象項目名】０００１
【補正方法】変更
【補正の内容】
【０００１】
本発明は、処理対象物であるセパレートシートや物を載せるパレット等の平面体に電磁波を照射して殺菌等を行う電磁波照射殺菌装置に関する。
【手続補正４】
【補正対象書類名】明細書
【補正対象項目名】０００８
【補正方法】変更
【補正の内容】
【０００８】
上記の目的を達成するものとして本発明の請求項１に係る電磁波照射殺菌装置は、処理対象物がセパレートシートや物を載せるパレット等の平面体であって、この処理対象物を搬送する搬送手段と、搬送手段によって搬送される処理対象物に電磁波を照射して殺菌する電磁波発生源と、この電磁波発生源から発せられる電磁波の強度を検出する電磁波検出センサと、を備え、電磁波検出センサは、電磁波発生源を挟んで搬送手段により搬送される処理対象物と反対側であって、電磁波発生源までの距離を、搬送手段により搬送される処理対象物から電磁波発生源までの距離と略等しい距離の位置に設置されていることを大きな特徴とするものである。
【手続補正５】
【補正対象書類名】明細書
【補正対象項目名】０００９
【補正方法】変更
【補正の内容】
【０００９】
本発明の請求項２に係る電磁波照射殺菌装置は、請求項１に記載の電磁波照射装置において、電磁波検出センサとは別に、電磁波発生源から発せられる電磁波の強度を検出する電磁波検出センサより耐久性に優れた電磁波検出サブセンサを設けたことを特徴とする。
【手続補正６】
【補正対象書類名】明細書
【補正対象項目名】００１０
【補正方法】変更
【補正の内容】
【００１０】
さらに本発明の請求項３に係る電磁波照射殺菌装置は、請求項１に記載の電磁波照射装置において、電磁波検出センサは、電磁波発生源からの電磁波を遮蔽する遮蔽部材を備えたことを特徴とする。
【手続補正７】
【補正対象書類名】明細書
【補正対象項目名】００１１
【補正方法】変更
【補正の内容】
【００１１】
本発明の請求項４に係る電磁波照射殺菌装置は、請求項２に記載の電磁波照射装置において、電磁波検出サブセンサは、電磁波発生源からの電磁波を遮蔽する遮蔽部材を備えたことを特徴とする。
【手続補正８】
【補正対象書類名】明細書
【補正対象項目名】００１２
【補正方法】変更
【補正の内容】
【００１２】
さらに本発明の請求項５に係る電磁波照射殺菌装置は、請求項１に記載の電磁波照射殺菌装置において、電磁波発生源は、処理対象物の搬送経路の両側に対称的に配置して設け、電磁波検出センサは、搬送経路の両側にそれぞれ配置して設けたことを特徴とする。
【手続補正９】
【補正対象書類名】明細書
【補正対象項目名】００１３
【補正方法】変更
【補正の内容】
【００１３】
本発明の請求項６に係る電磁波照射殺菌装置は、請求項５に記載の電磁波照射殺菌装置において、搬送経路の両側に配置された電磁波発生源は、管状に形成された紫外線ランプによりなり、これが処理対象物の搬送方向と平行または直交もしくは傾斜状に交差して複数本並設されていることを特徴とする。
【手続補正１０】
【補正対象書類名】明細書
【補正対象項目名】００１４
【補正方法】変更
【補正の内容】
【００１４】
さらに本発明の請求項７に係る電磁波照射殺菌装置は、請求項５に記載の電磁波照射殺菌装置において、処理対象物の搬送経路の両側に、処理対象物の姿勢を保持するための一対のガイド棒を有し、この一対のガイド棒は、処理対象物の搬送方向に対して傾斜するように設置されていることを特徴とする。
【手続補正１１】
【補正対象書類名】明細書
【補正対象項目名】００１５
【補正方法】変更
【補正の内容】
【００１５】
本発明の請求項８に係る電磁波照射殺菌装置は、請求項７に記載の電磁波照射殺菌装置において、一対のガイド棒は、その入口側または入口側と出口側の端部の間隔が広がった形状に形成されていることを特徴とする。
【手続補正１２】
【補正対象書類名】明細書
【補正対象項目名】００１６
【補正方法】変更
【補正の内容】
【００１６】
本発明の請求項９に係る電磁波照射殺菌装置は、請求項２に記載の電磁波照射殺菌装置において、電磁波検出センサ及び電磁波検出サブセンサからの出力に基づいて計算された電磁波の照射強度や照射量を表示する表示部を設け、この表示部に、通常時は電磁波検出サブセンサからの出力に基づく電磁波の照射強度や照射量が表示され、必要時に電磁波検出センサからの出力に基づく電磁波の照射強度や照射量が表示されるようにしたことを特徴とする。
また、本発明の請求項１０に係る電磁波照射殺菌装置は、請求項９に記載の電磁波照射殺菌装置において、表示部に、電磁波発生源から発せられる電磁波に故障があるときに、その故障に関する事項が表示されるようにしたことを特徴とする。
【手続補正１３】
【補正対象書類名】明細書
【補正対象項目名】００１７
【補正方法】変更
【補正の内容】
【００１７】
本発明の請求項１に係る電磁波照射殺菌装置では、電磁波発生源から発せられる電磁波の強度を検出する電磁波検出センサを設けるとともに、この電磁波検出センサを、処理対象物と反対側であって、その処理対象物に照射される電磁波と略等しい強さの電磁波を電磁波発生源から受ける位置に設置したことにより、電磁波発生源から処理対象物に照射される電磁波の照射強度や照射量を正確に測定することができる。
【手続補正１４】
【補正対象書類名】明細書
【補正対象項目名】００１８
【補正方法】変更
【補正の内容】
【００１８】
本発明の請求項２に係る電磁波照射殺菌装置では、電磁波検出センサとは別に、電磁波発生源から発せられる電磁波の強度を検出する電磁波検出センサより耐久性に優れた電磁波検出サブセンサを設けたことにより、通常時には電磁波検出センサを休ませた状態で電磁波検出サブセンサを使用して電磁波の照射強度や照射量の測定を行うことができる。
【手続補正１５】
【補正対象書類名】明細書
【補正対象項目名】００１９
【補正方法】変更
【補正の内容】
【００１９】
さらに本発明の請求項３に係る電磁波照射殺菌装置では、電磁波検出センサに、電磁波発生源からの電磁波を遮蔽する遮蔽部材を備えたことにより、電磁波検出センサを休ませている状態で、電磁波を受ける部分をこの遮蔽部材で覆って保護することができ、これによって電磁波検出センサの寿命を延ばすことが可能となる。
【手続補正１６】
【補正対象書類名】明細書
【補正対象項目名】００２０
【補正方法】変更
【補正の内容】
【００２０】
本発明の請求項４に係る電磁波照射殺菌装置では、電磁波検出サブセンサに、電磁波発生源からの電磁波を遮蔽する遮蔽部材を備えたことにより、電磁波検出サブセンサを休ませている状態で、電磁波を受ける部分をこの遮蔽部材で覆って保護することができ、これによって電磁波検出サブセンサの寿命を延ばすことが可能となる。
【手続補正１７】
【補正対象書類名】明細書
【補正対象項目名】００２１
【補正方法】変更
【補正の内容】
【００２１】
さらに本発明の請求項５に係る電磁波照射殺菌装置では、電磁波発生源が、処理対象物の搬送経路の両側に対称的に配置されていることにより、処理対象物の表裏両面に電磁波を満遍なく確実に照射して効率的な殺菌をおこなうことができる。
【手続補正１８】
【補正対象書類名】明細書
【補正対象項目名】００２２
【補正方法】変更
【補正の内容】
【００２２】
本発明の請求項６に係る電磁波照射殺菌装置では、電磁波発生源が、管状に形成された紫外線ランプによりなり、これが処理対象物の搬送方向と平行または直交もしくは傾斜状に交差して複数本並設されていることにより、処理対象物の表裏両面に紫外線を満遍なく確実に照射して効率的な殺菌をおこなうことができる。
【手続補正１９】
【補正対象書類名】明細書
【補正対象項目名】００２３
【補正方法】変更
【補正の内容】
【００２３】
さらに本発明の請求項７に係る電磁波照射殺菌装置では、処理対象物の搬送経路に、処理対象物の姿勢を保持するための一対のガイド棒を有し、このガイド棒は、処理対象物の搬送方向に対し傾斜するように設置されていることにより、電磁波の照射時にはこのガイド棒が処理対象物の同じ位置を遮ることがないので、処理対象物の全面に確実に紫外線を照射して効率的な殺菌を行うことができる。
【手続補正２０】
【補正対象書類名】明細書
【補正対象項目名】００２４
【補正方法】変更
【補正の内容】
【００２４】
本発明の請求項８に係る電磁波照射殺菌装置では、一対のガイド棒は、その入口側または入口側と出口側の端部の間隔が広がった形状に形成されていることにより、搬送されてきた処理対象物が一対のガイド棒の間にスムーズに導入され、また排出されるので、処理対象物は安定した状態で一対のガイド棒の間を通って搬送され、確実な殺菌処理が行われる。
【手続補正２１】
【補正対象書類名】明細書
【補正対象項目名】００２５
【補正方法】変更
【補正の内容】
【００２５】
本発明の請求項９に係る電磁波照射殺菌装置では、電磁波検出センサ及び電磁波検出サブセンサからの出力に基づいて計算された電磁波の照射強度や照射量を表示する表示部を有し、通常時は電磁波検出サブセンサからの出力に基づく電磁波の照射強度や照射量が表示され、必要時に電磁波検出センサからの出力に基づく電磁波の照射強度や照射量が表示されるようにしたことにより、電磁波発生源から処理対象物に照射される電磁波の照射強度や照射量を目視によって容易に確認することができる。
また、本発明の請求項１０に係る電磁波照射殺菌装置では、電磁波発生源から発せられる電磁波に故障があるときには、その故障に関する事項を表示部で表示することにより、故障の有無等を容易に確認することができる。
【手続補正２２】
【補正対象書類名】明細書
【補正対象項目名】００５６
【補正方法】変更
【補正の内容】
【００５６】
そして、必要時に紫外線検出センサ３２によって正確な紫外線照射量を測定する場合は、トップ画面にある「紫外線検出センサ」のボタン４６を押すことにより、図９に示すような測定画面が表示される。この測定画面において、スイッチボタン４７を押すことにより紫外線検出センサ３２が作動し（このとき紫外線検出センサ３２のシャッタ３３が自動的に開かれるようにしてもよい。）、これによってセパレートシートに照射される紫外線の照射量の測定が行われる。なお、電磁波発生源から発せられる電磁波に故障があるときの故障に関する事項としては、その旨を表す「故障表示」、現在までに生じた過去の故障を表示する「故障履歴」、故障表示や故障履歴をリセットするリセットボタンがある。